(57)【特許請求の範囲】
【請求項１】
棒金を立位状態で１カ所に５本収納可能であって下方に凹む上方開口形状の棒金収納凹部が２カ所並列に配列されており、
これら２カ所の棒金収納凹部は、
それぞれが、
棒金を２本並べて収納する２本収納領域と、
前記２本収納領域と平行であって棒金を１列に並べて３本収納するとともに棒金配列方向の中央位置を前記２本収納領域の棒金配列方向の中央位置と合わせた３本収納領域と、を有し、
前記２カ所の棒金収納凹部が、前記２本収納領域と前記３本収納領域との並び順を互いに合わせて並列に配列されていることを特徴とする現金管理装置。
【請求項２】
装置本体と、
前記２カ所の棒金収納凹部を有して、前記装置本体に引き出し可能に設けられる収納庫と、を有し、
前記２カ所の棒金収納凹部は、前記２本収納領域および前記３本収納領域のそれぞれの棒金配列方向を前記引き出しの方向に直交させていることを特徴とする請求項１記載の現金管理装置。
【請求項３】
装置本体と、
前記２カ所の棒金収納凹部を有して、前記装置本体に引き出し可能に設けられる収納庫と、を有し、
前記２カ所の棒金収納凹部は、それぞれ、前記引き出しの方向の奥側に前記２本収納領域が、手前側に前記３本収納領域が配置されていることを特徴とする請求項１または２記載の現金管理装置。
【請求項４】
前記棒金収納凹部の底部には、棒金の下端部に係合する係合部が、前記２本収納領域に２カ所、前記３本収納領域に３カ所、それぞれ設けられていることを特徴とする請求項１乃至３のいずれか一項記載の現金管理装置。
【請求項５】
前記係合部には、係合する棒金を検出する棒金検出センサが設けられていることを特徴とする請求項４記載の現金管理装置。
【請求項６】
前記棒金収納凹部は、
前記２本収納領域の棒金配列方向の両外側に該２本収納領域内に中心を有する湾曲壁面を有し、
前記３本収納領域の棒金配列方向の両外側に該３本収納領域内に中心を有する湾曲壁面を有し、
前記２本収納領域および前記３本収納領域の配列方向の両外側に平坦壁面を有することを特徴とする請求項１乃至５のいずれか一項記載の現金管理装置。
【請求項７】
前記棒金収納凹部には、
前記３本収納領域の棒金配列方向の中央の１本収納領域と前記２本収納領域の両１本収納領域とから等距離の位置と、前記３本収納領域の棒金配列方向の一側および中央の両１本収納領域と前記２本収納領域の前記一側の１本収納領域とから等距離の位置と、前記３本収納領域の棒金配列方向の他側および中央の両１本収納領域と前記２本収納領域の前記他側の１本収納領域とから等距離の位置とに、それぞれ棒金を立位状態に維持しうるピンが立設されていることを特徴とする請求項１乃至６のいずれか一項記載の現金管理装置。
【請求項８】
前記ピンは、上端部の高さ位置を前記棒金収納凹部の開口端部にほぼ合わせていることを特徴とする請求項７記載の現金管理装置。
【発明の詳細な説明】
【技術分野】
【０００１】
本発明は、現金の管理に用いられる現金管理装置に関する。
【背景技術】
【０００２】
装置本体から引き出し可能に設けられた複数の収納庫に現金を収納し、現金の入出庫を行う現金管理装置がある。この種の現金管理装置には、棒金用の収納庫に棒金を収納する棒金用トレイが設けられているものがあり、この棒金用トレイに、棒金を立位状態で１カ所に１０本収納可能であって下方に凹む上方開口形状の棒金収納凹部が設けられているものがある（例えば、特許文献１参照）。
【先行技術文献】
【特許文献】
【０００３】
【特許文献１】特開２０１３−１１８０１６号公報
【発明の概要】
【発明が解決しようとする課題】
【０００４】
上記の現金管理装置にあっては、棒金を出したり入れたりする出し入れ作業において、１カ所の棒金収納凹部から棒金を１０本出し入れする必要がある場合に、係員は、両手で１０本の棒金を纏めて掴んで棒金収納凹部に対し出し入れするのが最も作業効率が良い。しかしながら、１０本の棒金を纏めて掴んで棒金収納凹部に対し出し入れする作業は容易ではない。特に棒金収納凹部に棒金を１０本挿入する場合には、１０本の棒金からなる棒金群を棒金収納凹部の形状に合わせるように整えながら挿入する必要があり、より作業の困難性が増す。
【０００５】
本発明は、上記の点に鑑みなされたもので、作業効率の低下を抑制しつつ棒金の出し入れ作業を容易化可能となる現金管理装置の提供を目的とする。
【課題を解決するための手段】
【０００６】
上記目的を達成するために、請求項１に係る発明は、棒金を立位状態で１カ所に５本収納可能であって下方に凹む上方開口形状の棒金収納凹部が２カ所並列に配列されており、これら２カ所の棒金収納凹部は、それぞれが、棒金を２本並べて収納する２本収納領域と、前記２本収納領域と平行であって棒金を１列に並べて３本収納するとともに棒金配列方向の中央位置を前記２本収納領域の棒金配列方向の中央位置と合わせた３本収納領域と、を有し、前記２カ所の棒金収納凹部が、前記２本収納領域と前記３本収納領域との並び順を互いに合わせて並列に配列されていることを特徴とする。
【０００７】
請求項２に係る発明は、請求項１に係る発明において、装置本体と、前記２カ所の棒金収納凹部を有して、前記装置本体に引き出し可能に設けられる収納庫と、を有し、前記２カ所の棒金収納凹部は、前記２本収納領域および前記３本収納領域のそれぞれの棒金配列方向を前記引き出しの方向に直交させていることを特徴とする。
【０００８】
請求項３に係る発明は、請求項１または２に係る発明において、装置本体と、前記２カ所の棒金収納凹部を有して、前記装置本体に引き出し可能に設けられる収納庫と、を有し、前記２カ所の棒金収納凹部は、それぞれ、前記引き出しの方向の奥側に前記２本収納領域が、手前側に前記３本収納領域が配置されていることを特徴とする。
【０００９】
請求項４に係る発明は、請求項１乃至３のいずれか一項に係る発明において、前記棒金収納凹部の底部には、棒金の下端部に係合する係合部が、前記２本収納領域に２カ所、前記３本収納領域に３カ所、それぞれ設けられていることを特徴とする。
【００１０】
請求項５に係る発明は、請求項４に係る発明において、前記係合部には、係合する棒金を検出する棒金検出センサが設けられていることを特徴とする。
【００１１】
請求項６に係る発明は、請求項１乃至５のいずれか一項に係る発明において、前記棒金収納凹部は、前記２本収納領域の棒金配列方向の両外側に該２本収納領域内に中心を有する湾曲壁面を有し、前記３本収納領域の棒金配列方向の両外側に該３本収納領域内に中心を有する湾曲壁面を有し、前記２本収納領域および前記３本収納領域の配列方向の両外側に平坦壁面を有することを特徴とする。
【００１２】
請求項７に係る発明は、請求項１乃至６のいずれか一項に係る発明において、前記棒金収納凹部には、前記３本収納領域の棒金配列方向の中央の１本収納領域と前記２本収納領域の両１本収納領域とから等距離の位置と、前記３本収納領域の棒金配列方向の一側および中央の両１本収納領域と前記２本収納領域の前記一側の１本収納領域とから等距離の位置と、前記３本収納領域の棒金配列方向の他側および中央の両１本収納領域と前記２本収納領域の前記他側の１本収納領域とから等距離の位置とに、それぞれ棒金を立位状態に維持しうるピンが立設されていることを特徴とする。
【００１３】
請求項８に係る発明は、請求項７に係る発明において、前記ピンは、上端部の高さ位置を前記棒金収納凹部の開口端部にほぼ合わせていることを特徴とする。
【発明の効果】
【００１４】
請求項１に係る発明によれば、棒金を立位状態で１カ所に５本収納可能であって下方に凹む上方開口形状の棒金収納凹部が２カ所並列に配列されており、これら２カ所の棒金収納凹部は、それぞれが、棒金を２本並べて収納する２本収納領域と、２本収納領域と平行であって棒金を１列に並べて３本収納する３本収納領域と、を有するとともに、これら２本収納領域および３本収納領域が棒金配列方向の中央位置を合わせている。このため、係員は、両手で５本の棒金を纏めて掴んで出し入れする作業を２回行うことで、棒金を１０本出し入れすることができる。したがって、作業効率の低下を抑制しつつ棒金の出し入れ作業を容易化可能となる。しかも、２カ所の棒金収納凹部は、２本収納領域と３本収納領域との並び順を互いに合わせて並列に配列されている。このため、２カ所の棒金収納凹部に対して、それぞれ５本の棒金を纏めて掴んで出し入れする際の棒金群の形状を合わせることができる。よって、棒金の出し入れ作業がさらに容易化可能となる。
【００１５】
請求項２に係る発明によれば、２カ所の棒金収納凹部は、２本収納領域および３本収納領域のそれぞれの棒金配列方向を、収納庫の引き出しの方向に対し直交させている。このため、不慣れな係員でも、５本の棒金を両手で纏めて掴んで棒金収納凹部に挿入する際に戸惑うことなく円滑に挿入可能となる。
【００１６】
請求項３に係る発明によれば、２カ所の棒金収納凹部は、それぞれ、収納庫の引き出しの方向の奥側に２本収納領域が、手前側に３本収納領域が配置されているため、５本の棒金からなる棒金群を、両手で棒金収納凹部に合わせた形状にしつつ掴む際に掴み易く、よって、５本の棒金を両手で掴んで棒金収納凹部に対し出し入れする作業がさらに容易化可能となる。
【００１７】
請求項４に係る発明によれば、棒金収納凹部の底部に、棒金の下端部に係合する係合部が、２本収納領域に２カ所、３本収納領域に３カ所、それぞれ設けられているため、棒金の下端部を係合部に係合させることで、収納庫の引き出し時および押し込み時に、収納状態にある棒金のガタツキを抑制することができる。
【００１８】
請求項５に係る発明によれば、係合部に係合された棒金を棒金検出センサで検出することができる。よって、棒金の収納数を計数することができる。
【００１９】
請求項６に係る発明によれば、棒金収納凹部が、２本収納領域および３本収納領域のそれぞれの棒金配列方向の両外側に湾曲壁面を有する形状をなしているため、これら湾曲壁面で四隅の棒金を案内することができる。よって、５本の棒金を纏めて正確に棒金収納凹部に挿入することが可能となる。
【００２０】
請求項７に係る発明によれば、３本収納領域の棒金配列方向の中央の１本収納領域と２本収納領域の両１本収納領域とから等距離の位置と、３本収納領域の棒金配列方向の一側および中央の両１本収納領域と２本収納領域の前記一側の１本収納領域とから等距離の位置と、３本収納領域の棒金配列方向の他側および中央の両１本収納領域と２本収納領域の前記他側の１本収納領域とから等距離の位置とに、それぞれ棒金を立位状態に維持しうるピンが立設されている。このため、棒金収納凹部内に収納された、満杯状態にない１本〜４本の棒金を少ない数のピンで立位状態に維持することができる。
【００２１】
請求項８に係る発明によれば、ピンは、上端部の高さ位置を棒金収納凹部の開口端部にほぼ合わせているため、棒金収納凹部内に収納された、満杯状態にない１本〜４本の棒金をより安定的に立位状態に維持することができる。
【図面の簡単な説明】
【００２２】
【図１】本発明の一実施形態に係る現金管理装置を示す斜視図である。
【図２】本発明の一実施形態に係る現金管理装置を示す要部の制御系ブロック図である。
【図３】本発明の一実施形態に係る現金管理装置の棒金収納庫を示す斜視図である。
【図４】本発明の一実施形態に係る現金管理装置の満杯収納用の棒金トレイを示す斜視図である。
【図５】本発明の一実施形態に係る現金管理装置の満杯収納用の棒金トレイを示す平面図である。
【図６】本発明の一実施形態に係る現金管理装置の端数収納用の棒金トレイを示す斜視図である。
【図７】本発明の一実施形態に係る現金管理装置の端数収納用の棒金トレイを示す平面図である。
【発明を実施するための形態】
【００２３】
本発明の一実施形態に係る現金管理装置を図面を参照して以下に説明する。
【００２４】
図１に示す本実施形態に係る現金管理装置１０は、金融機関の店舗の係員側スペースに設置されて係員により取り扱われるものであり、より窓口カウンタに近い位置で使用され、主に小束紙幣および棒金を入出庫可能に収納するものである。
【００２５】
現金管理装置１０は、箱型の装置本体１１と、この装置本体１１に上下方向に複数段具体的には８段設けられた収納庫１２とを有している。これら収納庫１２は、その左右側壁に設けられたスライドレール１３を介して装置本体１１に対して水平方向に沿って引き出し可能となっている。これら収納庫１２は、前方に引き出されることで内部にアクセス可能となるように開かれ、後方に押し込まれると内部にアクセス不可となるように閉じられる。このように前後方向にのみ所定範囲でスライド可能となるように、各収納庫１２は装置本体１１に連結されている。
【００２６】
複数段の収納庫１２のうち、最も上側のものは、予備収納庫１２（Ａ）となっており、結束されていないバラ紙幣、包装されていないバラ硬貨、汚損紙幣や汚損硬貨、金券等を収納する。また、残りの収納庫１２は、上側４段が小束紙幣を収納する小束収納庫１２（Ｂ）となっており、下側３段が棒金を収納する棒金収納庫１２（Ｃ）となっている。勿論、収納庫１２の全体の数や、そのうちの小束収納庫１２（Ｂ）および棒金収納庫１２（Ｃ）の個々の数等は任意に設定可能であり、例えば、予備収納庫１２（Ａ）以外の全てを、棒金収納庫１２（Ｃ）とすることも勿論可能である。
【００２７】
装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する音声発生部２０とを有している。
【００２８】
装置本体１１には、複数の収納庫１２のそれぞれに対して、収納庫１２を閉状態で個別にロックする図２に示すロック機構２２が設けられており、図１に示す複数の収納庫１２のそれぞれの側方に、ロック機構２２のロック解除時のみ点灯する表示灯２３が設けられている。さらに、装置本体１１には、図２に示すように、操作表示部１５、プリンタ１６、音声発生部２０、ロック機構２２および表示灯２３等に接続されてこれらを制御する制御部２５と、収納している棒金および小束紙幣の数量情報および金種情報や処理関連のデータ等を記憶する記憶部２６とが設けられている。
【００２９】
収納庫１２は、図３に示すように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図１に示す小束収納庫１２（Ｂ）と棒金収納庫１２（Ｃ）とで共通となっている。枠体３４は、一対の側板部３２がスライドレール１３の一側に連結されており、スライドレール１３の他側が装置本体１１に連結されていて、これにより装置本体１１に対して引き出し可能となっている。
【００３０】
図３に示すように、棒金収納庫１２（Ｃ）は、棒金Ｂを入出庫可能に収納するものである。棒金収納庫１２（Ｃ）は、棒金Ｂを収納可能であって上記した枠体３４に取り付けられて固定される最前列の複数、具体的には４つの端数収納用の合成樹脂製の棒金トレイ３８（Ｅ）と、２列目以降の複数の満杯収納用の合成樹脂製の棒金トレイ３８（Ｆ）とを有している。
【００３１】
ここで、各棒金トレイ３８（Ｅ），３８（Ｆ）は、それぞれ予め設定された単一の収納対象金種の棒金Ｂのみが収納されるように決められている。また、左右方向における同列に配置されて前後に１列に並ぶ複数の棒金トレイ３８（Ｅ），３８（Ｆ）は、全て収納対象金種が同一金種となっている。例えば、３段の棒金収納庫１２（Ｃ）のうちの最も上段の棒金収納庫１２（Ｃ）は、最も左側および左から２番目の２列の棒金トレイ３８（Ｅ），３８（Ｆ）が共に１円棒金収納用、最も右側および右から２番目の２列の棒金トレイ３８（Ｅ），３８（Ｆ）が共に５円棒金収納用となっている。また、３段の棒金収納庫１２（Ｃ）のうちの上から２段目の棒金収納庫１２（Ｃ）は、最も左側および左から２番目の２列の棒金トレイ３８（Ｅ），３８（Ｆ）が共に１０円棒金収納用、最も右側および右から２番目の２列の棒金トレイ３８（Ｅ），３８（Ｆ）が共に５０円棒金収納用となっている。また、３段の棒金収納庫１２（Ｃ）のうちの最下段の棒金収納庫１２（Ｃ）は、最も左側および左から２番目の２列の棒金トレイ３８（Ｅ），３８（Ｆ）が共に１００円棒金収納用、最も右側および右から２番目の２列の棒金トレイ３８（Ｅ），３８（Ｆ）が共に５００円棒金収納用となっている。勿論、各棒金収納庫１２（Ｃ）への収納金種は任意に設定可能であり、頻繁に出庫が行われる金種（１円棒金、１０円棒金および１００円棒金）を１つの棒金収納庫１２（Ｃ）に纏めて収納するようにしても良い。また、左右方向における同列に配置されて前後に１列に並ぶ複数の棒金トレイ３８（Ｅ），３８（Ｆ）は、必ずしも全て収納対象金種が同一金種となっていなくても良い。
【００３２】
棒金Ｂは、単一金種の硬貨を所定枚数（５０枚）だけ中心軸線を一致させて集積してなる集積硬貨を、その外周面全体に樹脂フィルムあるいは紙からなる包装紙を所定長さ巻き付けて一体化したものであり、略円柱状をなしている。
【００３３】
図３に示すように、棒金トレイ３８（Ｅ），３８（Ｆ）には、棒金Ｂが中心軸線を上下方向に沿わせた立位状態で収納される。図４に示すように、満杯収納用の棒金トレイ３８（Ｆ）は、長方形の平板状をなして水平に配置される基板部４０と、基板部４０の水平方向における内側部分に設けられて下方に凹む上方開口形状をなす２カ所の同形状の棒金収納凹部４１とを有している。棒金トレイ３８（Ｆ）は、これらの棒金収納凹部４１にその上端開口部を介して上方から棒金Ｂが挿入されることになり、これらの棒金収納凹部４１は、このように挿入された棒金Ｂを図３に示すように上方に一部突出させて収納する。つまり、１つの棒金トレイ３８（Ｆ）に、同形状の棒金収納凹部４１が２カ所設けられており、これら一対の棒金収納凹部４１は、基板部４０の中間部に前後に隣接して形成されている。
【００３４】
図４に示すように、棒金トレイ３８（Ｆ）の前側の棒金収納凹部４１は、鉛直方向に沿う壁部４３と、壁部４３の下部を閉塞する全体として水平方向に沿う底部４４とを有している。壁部４３は、基板部４０よりも下方向に延出しており、よって、底部４４は基板部４０よりも下方に位置している。図５に示すように、前側（図５では下側）の棒金収納凹部４１の壁部４３は、左側に、円筒を一部切り取った形状の２カ所の湾曲壁面４２ａが前側のものが後側のものよりも左側に位置するように連設されており、右側に、円筒を一部切り取った形状の２カ所の湾曲壁面４２ａが前側のものが後側のものよりも右側に位置するように連設されている。これら湾曲壁面４２ａのうち、前側の左右の湾曲壁面４２ａは前後方向の位置を合わせており、後側の左右の湾曲壁面４２ａも前後方向の位置を合わせている。これにより、前側の棒金収納凹部４１は、前側の左右２カ所の湾曲壁面４２ａが対向し、これらの間隔が、後側で対向する左右２カ所の湾曲壁面４２ａ同士の間隔よりも広くなっている。
【００３５】
前側の棒金収納凹部４１の壁部４３は、前側の左右の湾曲壁面４２ａを結ぶ平坦壁面４２ｂと、後側の左右の湾曲壁面４２ａを結ぶ、平坦壁面４２ｂよりも長さが短い平坦壁面４２ｃとを有している。
【００３６】
前側の棒金収納凹部４１に設けられた湾曲壁面４２ａは、いずれも湾曲の中心をそれぞれが設けられた棒金収納凹部４１の内側に配置している。前側の棒金収納凹部４１の平坦壁面４２ｂおよび平坦壁面４２ｃは平行をなしている。
【００３７】
棒金トレイ３８（Ｆ）の後側の棒金収納凹部４１も、前側の棒金収納凹部４１と同様の形状をなしており、前側の棒金収納凹部４１と左右方向の位置を合わせて、前側の棒金収納凹部４１の後側に平行に配置されている。
【００３８】
同じ１つの棒金トレイ３８に形成された２カ所の棒金収納凹部４１は、予め設定された単一の収納対象金種の棒金Ｂのみが収納されることになり、湾曲壁面４２ａの径は、収納対象金種の棒金Ｂの外径よりも若干大径となっている。
【００３９】
１つの棒金トレイ３８（Ｆ）の前後の棒金収納凹部４１は、それぞれ、互いに対向する間隔が広い前側の湾曲壁面４２ａの間に、これらを結ぶ方向に並んで３カ所の１本収納領域４７が１列状に設けられており、よって、間隔が広い前側の湾曲壁面４２ａの間は、棒金Ｂを同時に３本並べて収納可能な３本収納領域５１となっている。また、互いに対向する間隔が狭い後側の湾曲壁面４２ａの間には、これらを結ぶ方向に並んで２カ所の１本収納領域４７が設けられており、よって、間隔が狭い後側の湾曲壁面４２ａの間は、棒金Ｂを同時に２本並べて収納可能な２本収納領域５２となっている。前後の棒金収納凹部４１は、それぞれ、棒金Ｂを満杯状態で５本収納する。つまり、１つの棒金トレイ３８（Ｆ）には、棒金Ｂを立位状態で１カ所に５本収納可能であって下方に凹む上方開口形状の棒金収納凹部４１が２カ所設けられており、これら２カ所の棒金収納凹部４１に、棒金Ｂが立位状態で所定の複数本である１０本収納可能となっている。
【００４０】
１つの棒金トレイ３８（Ｆ）の前後２カ所の棒金収納凹部４１は、いずれも棒金収納庫１２（Ｃ）の引き出しの方向の奥側に２本収納領域５２が、手前側に３本収納領域５１が配置されている。その結果、１つの棒金トレイ３８（Ｆ）の前後２カ所の棒金収納凹部４１は、３本収納領域５１と２本収納領域５２との並び順を互いに合わせて並列に配列されている。棒金収納庫１２（Ｃ）に設けられるすべての棒金トレイ３８（Ｆ）は、それぞれの１カ所の棒金収納凹部４１において、引き出しの方向の奥側に２本収納領域５２が、手前側に３本収納領域５１が配置されており、それぞれの２カ所の棒金収納凹部４１において、２本収納領域５２と３本収納領域５１との並び順を互いに合わせて並列に配列されている。
【００４１】
３本収納領域５１と２本収納領域５２とは互いに平行をなして隣接しており、それぞれの棒金配列方向の中央位置を合わせている。その結果、３本収納領域５１と２本収納領域５２とは、両方の中央位置を通り基板部４０に直交する面を基準に鏡面対称の形状をなしている。３本収納領域５１と２本収納領域５２とを有する棒金収納凹部４１は、棒金ＢをＭ字状に収納する。棒金収納凹部４１は、３本収納領域５１の棒金配列方向の両外側に３本収納領域５１内に中心を有する湾曲壁面４２ａを有しており、２本収納領域５２の棒金配列方向の両外側に２本収納領域５２内に中心を有する湾曲壁面４２ａを有していて、３本収納領域５１および２本収納領域５２の配列方向の両外側に平坦壁面４２ｂ，４２ｃを有している。
【００４２】
３本収納領域５１に収納された棒金Ｂに対して、２本収納領域５２に収納された棒金Ｂは棒金Ｂの半径分左右方向にずれている。棒金Ｂは、棒金収納凹部４１に、その上部開口を介して上方から挿入されることになり、棒金収納凹部４１に満杯に収納された状態では、棒金収納凹部４１の壁部４３および他の棒金Ｂで支持されて中心軸線を鉛直配置した鉛直立位状態に維持される。
【００４３】
１つの棒金トレイ３８（Ｆ）の２カ所の３本収納領域５１および２カ所の２本収納領域５２は、前後方向つまり収納庫１２の引き出し方向に直交する方向に延在している。言い換えれば、１つの棒金トレイ３８（Ｆ）の２カ所の３本収納領域５１および２カ所の２本収納領域５２は、それぞれの棒金配列方向を、前後方向つまり収納庫１２の引き出し方向に直交させている。棒金収納庫１２（Ｃ）に設けられるすべての棒金トレイ３８（Ｆ）の３本収納領域５１および２本収納領域５２は、前後方向つまり収納庫１２の引き出し方向に直交する方向に延在している。
【００４４】
底部４４の各棒金Ｂの収納位置、つまり各１本収納領域４７の底位置には、棒金Ｂの下端加締部に係合する係合部６１が設けられている。係合部６１は、平面視円形の短柱状をなしており、棒金Ｂの硬貨部分から軸方向外側に突出する包装紙の円形状の加締部の内側に嵌合する。係合部６１は、全ての１本収納領域４７のそれぞれ底位置中央に設けられている。係合部６１は、各湾曲壁面４２ａの各内側位置に湾曲壁面４２ａと同じ４カ所形成され、さらに、３本収納領域５１を形成する湾曲壁面４２ａ間の中央の１カ所に形成されている。つまり、棒金収納凹部４１の底部４４には、３本収納領域５１の底部を構成する部分に３カ所、２本収納領域５２の底部を構成する部分に２カ所、係合部６１がそれぞれ設けられている。係合部６１は、これが配置された１本収納領域４７に挿入された棒金Ｂの下端加締部の内側に嵌合する。
【００４５】
係合部６１には、嵌合された棒金Ｂの有無および金種を検出する磁気センサ等の棒金検出センサ６２が設けられており、このような棒金検出センサ６２が、すべての係合部６１に個別に設けられている。
【００４６】
図６，図７に示す端数収納用の棒金トレイ３８（Ｅ）は、満杯収納用の棒金トレイ３８（Ｆ）に対して、棒金収納凹部４１に満杯状態にない１本〜４本の棒金Ｂを立位状態に維持しうる複数、具体的には３カ所のピン７１が底部４４に立設されている点が相違している。
【００４７】
３カ所のピン７１は、その１つが、２本収納領域５２の２カ所の１本収納領域４７と、３本収納領域５１の棒金配列方向の中央１カ所の１本収納領域４７とから等距離の位置に配置されている。つまり、このピン７１は、２本収納領域５２の２カ所の係合部６１と、３本収納領域５１の中央１カ所の係合部６１とから等距離の位置に配置されている。
【００４８】
３カ所のピン７１は、他の１つが、３本収納領域５１の棒金配列方向の一側（左側）の端部の１本収納領域４７および中央の１本収納領域４７と、２本収納領域５２の同じ一側（左側）の１本収納領域４７とから等距離の位置に配置されている。つまり、このピン７１は、３本収納領域５１の棒金配列方向の一側（左側）の端部および中央の２カ所の係合部６１と、２本収納領域５２の棒金配列方向の同じ一側（左側）の１カ所の係合部６１とから等距離の位置に配置されている。
【００４９】
３カ所のピン７１は、さらに他の１つが、３本収納領域５１の棒金配列方向の他側（右側）の端部の１本収納領域４７および中央の１本収納領域４７と、２本収納領域５２の同じ他側（右側）の１本収納領域４７とから等距離の位置に配置されている。つまり、このピン７１は、３本収納領域５１の棒金配列方向の他側（右側）の端部および中央の２カ所の係合部６１と、２本収納領域５２の棒金配列方向の同じ他側（右側）の１カ所の係合部６１とから等距離の位置に配置されている。
【００５０】
本実施形態では、３カ所のピン７１は、上端部の高さ位置を、それぞれが形成される棒金収納凹部４１の開口端部よりも低くしている。これにより、棒金トレイ３８（Ｅ）の重量増およびコスト増を抑制している。なお、この３カ所のピン７１の上端部の高さ位置を、それぞれが形成される棒金収納凹部４１の開口端部にほぼ合わせても良い。このように構成すれば、棒金収納凹部４１内に収納された、満杯状態にない１本〜４本の棒金Ｂをより安定的に立位状態に維持することができる。
【００５１】
棒金収納庫１２（Ｃ）に設けられるすべての棒金トレイ３８（Ｅ）も、それぞれの１カ所の棒金収納凹部４１において、引き出しの方向の奥側に２本収納領域５２が、手前側に３本収納領域５１が配置されており、それぞれの２カ所の棒金収納凹部４１において、２本収納領域５２と３本収納領域５１との並び順を互いに合わせて並列に配列されている。さらに、棒金収納庫１２（Ｃ）に設けられるすべての棒金トレイ３８（Ｅ）においても、３本収納領域５１および２本収納領域５２は、前後方向つまり収納庫１２の引き出し方向に直交する方向に延在している。言い換えれば、棒金収納庫１２（Ｃ）に設けられるすべての棒金トレイ３８（Ｅ）において、３本収納領域５１および２本収納領域５２は、それぞれの棒金配列方向を、前後方向つまり収納庫１２の引き出し方向に直交させている。
【００５２】
各棒金トレイ３８（Ｅ），３８（Ｆ）には、それぞれの基板部４０の上面に、収納対象の金種を目視可能に明示する金種明示部７２が設けられている（図４〜図７は１０円棒金の例）。各棒金トレイ３８に収納すべき設定金種を示す収納金種データは、予め設定されて記憶部２６に記憶されることになる。
【００５３】
装置本体１１には、収納庫１２が装置本体１１に最も押し込まれた後端位置である全閉位置にあることを検出する図２に示す全閉検出センサ９６が収納庫１２のそれぞれに対して設けられている。装置本体１１には、収納庫１２が装置本体１１から引き出された開状態にあることを検出する開検出センサ９７が収納庫１２のそれぞれに対して設けられている。
【００５４】
加えて、装置本体１１には、収納庫１２を個別に全閉位置でロックするロック機構２２が設けられている。ロック機構２２は、制御部２５から出力される開指令信号で開状態となる。制御部２５は、開状態とした収納庫１２が装置本体１１から引き出されたことが開検出センサ９７で検出されると、開指令信号を停止させることになり、この状態でロック機構２２は、収納庫１２が全閉位置に戻されると、収納庫１２を引き出し不可に自動的かつ機械的にロックする。制御部２５は、一の収納庫１２が装置本体１１から引き出されたことが開検出センサ９７で検出された後、この一の収納庫１２が全閉位置に戻されたことが全閉検出センサ９６で検出されると、この一の収納庫１２に収納された棒金Ｂの金種別の数を全ての棒金検出センサ６２の検出結果から把握する。
【００５５】
以上に述べた本実施形態に係る現金管理装置１０によれば、棒金トレイ３８（Ｅ），３８（Ｆ）の１つに、棒金Ｂを立位状態で１カ所に５本収納可能であって下方に凹む上方開口形状の棒金収納凹部４１が２カ所設けられており、これら２カ所の棒金収納凹部４１は、それぞれが、棒金Ｂを２本並べて収納する２本収納領域５２と、２本収納領域５２と平行であって棒金Ｂを１列に並べて３本収納する３本収納領域５１と、を有している。このため、係員は、両手で５本の棒金Ｂを纏めて掴んで出し入れする作業を各棒金収納凹部４１に対して１回ずつ合計２回行うことで、棒金Ｂを１０本出し入れすることができる。したがって、作業効率の低下を抑制しつつ棒金Ｂの出し入れ作業を容易化可能となる。しかも、２カ所の棒金収納凹部４１は、３本収納領域５１と２本収納領域５２との並び順を互いに合わせて並列に配列されている。このため、２カ所の棒金収納凹部４１に対して、それぞれ５本の棒金Ｂを纏めて掴んで出し入れする際の棒金群の形状を合わせることができる。よって、棒金Ｂの出し入れ作業がさらに容易化可能となる。
【００５６】
つまり、１カ所に棒金Ｂを１０本収納可能な棒金収納凹部の場合、１０本の棒金を両手で掴んで出し入れすることになるが、１０本の棒金を両手で持つと言っても、５００円棒金１０本となると、３．５Ｋｇもあり、女性の係員にとっては容易な作業ではない。しかも、棒金収納凹部は、棒金１０本がちょうど入る形状となっているので、棒金群の形状を合わせる必要があり、特に挿入が困難となってしまう。これに対して、本実施形態では、１カ所に５本収納可能な棒金収納凹部４１を２カ所設ける構成としたため、一度に掴む棒金の数が５本と少なくなり、棒金Ｂの出し入れ作業が容易化可能となる。また、棒金収納凹部４１は、作業者側から見て、手前に３本収納領域５１、奥側に２本収納領域５２を配置しているため、５本の棒金Ｂが掴みやすい形状となり、女性にとって使いやすい形状となる。すなわち、両手の親指で３本収納領域５１に出し入れされる３本の１列状の棒金Ｂを支え、両手の残りの指で、奥側の２本収納領域５２に出し入れされる２本の棒金Ｂを支えることができるため、持ち易くなる。
【００５７】
また、２カ所の棒金収納凹部４１は、それぞれ、３本収納領域５１および２本収納領域５２の棒金配列方向を、棒金収納庫１２（Ｃ）の引き出しの方向に対し直交させている。このため、不慣れな係員でも、５本の棒金Ｂを両手で纏めて掴んで棒金収納凹部４１に挿入する際に戸惑うことなく円滑に挿入可能となる。
【００５８】
また、２カ所の棒金収納凹部４１は、それぞれ、棒金収納庫１２（Ｃ）の引き出しの方向の奥側に２本収納領域５２が、手前側に３本収納領域５１が配置されているため、５本の棒金Ｂからなる棒金群を、両手で棒金収納凹部４１に合わせた形状にしつつ掴む際に掴み易く、よって、５本の棒金Ｂを両手で掴んで棒金収納凹部に対し出し入れする作業がさらに容易化可能となる。
【００５９】
また、棒金収納凹部４１の底部４４には、棒金Ｂの下端加締部に係合する係合部６１が、３本収納領域５１に３カ所、２本収納領域５２に２カ所、それぞれ設けられているため、棒金Ｂの下端加締部を係合部６１に係合させることで、収納庫１２の引き出し時および押し込み時に、収納状態にある棒金Ｂのガタツキを抑制することができる。
【００６０】
また、各係合部６１に係合された棒金Ｂの有無および金種を各係合部６１に埋設された棒金検出センサ６２で個別に検出することができる。よって、現金管理装置１０内に収納された棒金Ｂの金種別の収納数を計数して管理することができる。
【００６１】
また、棒金収納凹部４１が、３本収納領域５１および２本収納領域５２のそれぞれの棒金配列方向の両外側に湾曲壁面４２ａを有する形状をなしているため、これら湾曲壁面４２ａで四隅の棒金Ｂを案内することができる。よって、５本の棒金Ｂを纏めて正確に棒金収納凹部４１に挿入することが可能となる。
【００６２】
また、３本収納領域５１の棒金配列方向の中央の１本収納領域４７と２本収納領域５２の両１本収納領域４７とから等距離の位置と、３本収納領域５１の棒金配列方向の一側の端部の１本収納領域４７および中央の１本収納領域４７と２本収納領域５２の前記一側の１本収納領域４７とから等距離の位置と、３本収納領域５１の棒金配列方向の他側の端部の１本収納領域４７および中央の１本収納領域４７と２本収納領域５２の前記他側の１本収納領域４７とから等距離の位置とに、それぞれ棒金Ｂを立位状態に維持しうるピン７１が立設されている。このため、棒金収納凹部４１内に収納された、満杯状態にない１本〜４本の棒金Ｂを少ない数のピン７１で立位状態に維持することができる。
【符号の説明】
【００６３】
１０  現金管理装置
１１  装置本体
１２  収納庫
１２（Ｃ）  棒金収納庫
３４  枠体
３８（Ｅ），３８（Ｆ）  棒金トレイ
４１  棒金収納凹部
４２ａ  湾曲壁面
４２ｂ，４２ｃ  平坦壁面
５１  ３本収納領域
５２  ２本収納領域
６１  係合部
７１  ピン
Ｂ  棒金
【図１】
0006429390.tif 000002
【図２】
0006429390.tif 000003
【図３】
0006429390.tif 000004
【図４】
0006429390.tif 000005
【図５】
0006429390.tif 000006
【図６】
0006429390.tif 000007
【図７】
0006429390.tif 000008